(57)【要約】【課題】本発明はデータを送信する送信装置に関し、重要なデータの送信遅れを回避する。【解決手段】データ制御部１３３には、データＰＤＵよりも制御ＰＤＵの方が先に送信され、制御ＰＤＵどうし、またはデータＰＤＵどうしであれば優先度の高いＬＣＨの方が先に送信されるように、優先度が設定されている。データ制御部１３３は、その優先度に従い、各ＬＣＨの制御ＰＤＵ送信制御部１２３＿１およびデータＰＤＵ送信制御部１２３＿２に対し、制御ＰＤＵおよびデータＰＤＵをデータ多重部１３のトランスポートブロック生成部１３２に送るよう指示する。トランスポートブロック生成部１３２では、ヘッダ生成部１３１により生成されたヘッダと各ＬＣＨの制御ＰＤＵ送信制御部１２３＿１およびデータＰＤＵ送信制御部１２３＿２から送られてきた制御ＰＤＵおよびデータＰＤＵを多重してトランスポートブロックを生成する。【選択図】        図６
2009164684.tif 000002
【特許請求の範囲】
【請求項１】
複数チャネル毎に、
送信用のデータを処理する複数のデータ処理部と、
前記複数のデータ処理部からデータを受け取り、一回の送信が可能なデータ量のデータからなるトランスポートブロックを生成するデータ多重部と、
前記データ多重部で生成されたトランスポートブロックからなるデータパケットを送信する通信部を備えた通信装置 において、
前記複数のデータ処理部それぞれが 、更に、当該データ処理部で処理された送信用のデータの各種類ごとのデータ量とその制御用のデータ量 を検出して、前記データ多重部に通知する送信量検出部を備え、
前記データ多重部が、更に、前記複数のデータ処理部から送られてくるデータを、該複数のデータ処理部からそれぞれ通知を受けた各種類ごとのデータ量と制御用のデータ量の優先度と、チャネルごとの優先度とに基づいて、トランスポートブロックへのデータ割当てを優先的に行なうものであることを特徴とする通信装置。
【請求項２】
前記複数のデータ処理部それぞれが、ユーザデータを生成するユーザデータ生成部とそのユーザデータの制御データを生成する制御データ 生成部とを有し、前記送信量検出部は、当該データ処理部で生成された制御データおよびユーザデータそれぞれのデータ量を前記データ多重部に通知するものであり、
前記データ多重部は、前記複数のデータ処理部から送られてくるデータを、制御データの方がユーザデータよりも先に送信されるようにトランスポートブロックへのデータ割当てを行なうものであることを特徴とする請求項１記載の通信装置。
【請求項３】
前記複数のデータ処理部が、ユーザデータを生成するユーザデータ生成部とそのユーザデータの制御データを生成する制御データ生成部とを有し、前記送信量検出部は、当該データ処理部で生成された制御データの種類ごとの制御データの各データ量と当該データ処理部で生成されたユーザデータのデータ量を前記データ多重部に通知するものであり、
前記データ多重部は、前記複数のデータ処理部から送られてくるデータを、制御データのうちの特定種類の制御データの方が、該特定種類以外の種類の制御データおよびユーザデータよりも優先的に送信されるようにトランスポートブロックへのデータ割当てを行なうものであることを特徴とする請求項１乃至請求項２に記載の通信装置。
【請求項４】
複数チャネル毎に、
送信用のデータを処理する複数のデータ処理ステップと、
前記複数のデータ処理部からデータを受け取り、一回の送信が可能なデータ量のデータからなるトランスポートブロックを生成するデータ多重ステップと、
前記データ多重ステップで生成されたトランスポートブロックからなるデータパケットを送信する通信ステップを、コンピュータに実行させることにより、通信装置として機能させるプログラムにおいて、
前記複数のデータ処理ステップそれぞれが、更に、当該データ処理部で処理された送信用のデータの各種類ごとのデータ量とその制御用のデータ量を検出して、前記データ多重ステップに通知するデータ量通知ステップを備え、
前記データ多重ステップが、更に、前記複数のデータ処理ステップから送られてくるデータを、該複数のデータ処理ステップからそれぞれ通知を受けた各種類ごとのデータ量と制御用のデータ量の優先度と、チャネルごとの優先度とに基づいて、トランスポートブロックへのデータ割当てを優先的に行なうステップを、前記コンピュータに実行させるプログラム。
【請求項５】
複数チャネル毎に、
送信用のデータを処理する複数のデータ処理手順と、
前記複数のデータ処理手順からデータを受け取り、一回の送信が可能なデータ量のデータからなるトランスポートブロックを生成するデータ多重手順と、
前記データ多重手順で生成されたトランスポートブロックからなるデータパケットを送信する通信手順を、コンピュータを用いて実行させる通信方法において、
前記複数のデータ処理手順それぞれが、更に、当該データ処理手順で処理された送信用のデータの各種類ごとのデータ量とその制御用のデータ量を検出して、前記データ多重部に通知するデータ量通知手順を備え、
前記データ多重手順が、前記複数のデータ処理手順から送られてくるデータを、該複数のデータ処理手順からそれぞれ通知を受けた各種類ごとのデータ量と制御用のデータ量の優先度と、チャネルごとの優先度とに基づいて、トランスポートブロックへのデータ割当てを優先的に行なう手順を、前記コンピュータを用いて実行させる通信方法。
【発明の詳細な説明】
【技術分野】
【０００１】
本発明はデータを送信する通信装置および通信方法、並びに、コンピュータを通信装置として機能させるプログラムに関する。
【背景技術】
【０００２】
近年、３Ｇ（３ｒｄ  ｇｅｎｅｒａｔｉｏｎ）と呼ばれる無線通信システムのプロトコルが広く採用されている（非特許文献１参照）。
【０００３】
特許文献１には、ＭＡＣフレームのメインキューと、優先度毎の再送制御に用いられる複数のサブキューと、メインキューから宛て先・優先度識別子を元に取り出したＭＡＣフレームを取り出し、優先度毎にサブキューのいずれかに振り分ける無線通信装置が開示されています。
【０００４】
この３Ｇにもいくつかの発展段階があり、もともとの３Ｇを採用した携帯電話機のほか、通信速度が更に高速化された３．５ＧあるいはＨＳＤＰＡと呼ばれるプロトコルを採用した携帯電話機も登場してきており、さらに現在、Ｓｕｐｅｒ３Ｇあるいは３．９Ｇ、あるいはＬＴＥ（Ｌｏｎｇ  Ｔｅｒｍ  Ｅｖｏｌｕｔｉｏｎ）と呼ばれるプロトコルが検討されている。
【０００５】
図１は、ＬＴＥプロトコルを採用したときの無線通信システムの概要図である。
【０００６】
端末（ＵＥ；Ｕｓｅｒ  Ｅｑｕｉｐｍｅｎｔ）１０は基地局（ｅＮＢ；ｅｖｏｌｖｅｄ  ＮｏｄｅＢ）２０との間でＬＴＥプロトコルに従った無線通信を行なう。基地局（ｅＮＢ）２０は、基地局（ｅＮＢ）２０とＩＰネットワーク４０との間のデータの流れを仲介するアクセスゲートウェイ（ａＧＷ）３０を介してＩＰネットワーク４０に接続されている。この図１には、ａＧＷ２０は１つのみ示されているが、ＩＰネットワーク４０には多数のａＧＷが接続されており、各ａＧＷの配下にはそれぞれ１つ又は複数のｅＮＢが存在する。この図１にはＵＥ１０も１つのみ示されているが、多数のＵＥが存在し、それらのＵＥは、ｅＮＢ，ａＧＷ、およびＩＰネットワーク４０を介して互いに通信することができる。
【０００７】
図２は、ＬＴＥプロトコルのプロトコル構成図である。
【０００８】
３Ｇのグループの無線通信システムにおけるプロトコルは複数のレイヤに分かれており、ＬＴＥプロトコルでも同様である。
【０００９】
レイヤ１は物理層と呼ばれるレイヤであり、このレイヤ１は実際の通信を担う部分である。
【００１０】
またその上層に位置するレイヤ２は、ＭＡＣ（Ｍｅｄｉｕｍ  Ａｃｃｅｓｓ  Ｃｏｎｔｒｏｌ）サブレイヤと、ＲＬＣ（Ｒａｄｉｏ  Ｌｉｎｋ  Ｃｏｎｔｒｏｌ）サブレイヤと、ＰＤＣＰ（Ｐａｃｋｅｔ  Ｄａｔａ  Ｃｏｎｖｅｒｇｅｎｃｅ  Ｐｒｏｔｏｃｏｌ）サブレイヤとの３つのサブレイヤで構成されている。
【００１１】
ここで、１つのレイヤ又は１つのサブレイヤに配置された１つの処理機能の塊りはエンティティ（ｅｎｔｉｔｙ）と呼ばれており、ＰＤＣＰエンティティとＲＬＣエンティティは各論理チャネル（ＬＣＨ；Ｌｏｇｉｃａｌ  Ｃｈａｎｎｅｌ）に対応して、使用する論理チャネルの数だけ存在し、ＰＤＵ（Ｐｒｏｔｏｃｏｌ  Ｄａｔａ  Ｕｎｉｔ）の送受信を行なっている。ここで、ＬＴＥプロトコルの場合、ＰＤＣＰエンティティではデータの秘匿処理やさらに上位のレイヤ（図示せず）との間のデータインタフェース処理が行なわれ、ＲＬＣエンティティでは、データ変換処理や不足データの再送を要求する再送処理が行なわれる。
【００１２】
また、ＭＡＣエンティティは、各ＲＬＣエンティティから送られてきたＰＤＵを１つのＰＤＵに統合してレイヤ１に転送する。受信側では、ＭＡＣエンティティは、レイヤ１から送られてきたＰＤＵを各論理チャネルごとのＰＤＵに分割し分割した各ＰＤＵを対応する論理チャネルのＲＬＣエンティティに送っている。
【００１３】
図３は、基地局との間で無線通信を行なう端末の構成を示したブロック図である。ここでは、端末から基地局に向けてデータを送信するための構成について説明する。
【００１４】
ここには、データ受信部１１とデータ処理部１２とからなる構成が、複数の論理チャネルＬＣＨ＃１，ＬＣＨ＃２，…のそれぞれについて配置されている。また、ここには、それら複数の論理チャネルＬＣＨ＃１，ＬＣＨ＃２，…の全てからデータを受け取るデータ多重部１３、および基地局との間で無線通信を行なう無線インタフェース部１４が示されている。
【００１５】
データ受信部１１は、図２に示すＬＴＥプロトコルの場合のＰＤＣＰエンティティに相当するものであり、各サービス単位に分割された各論理チャネルのデータの受信を行なう要素である。
【００１６】
また、データ処理部１２は、図２に示すＬＴＥプロトコルの場合のＲＬＣエンティティに相当するものであり、データ受信部１１で受信したＬＣＨのデータを送信可能なサイズに切り出してＰＤＵを生成する要素である。
【００１７】
また、データ多重部１３は、図２に示すＬＴＥプロトコルの場合のＭＡＣエンティティに相当するものであり、各論理チャネルから転送されてきたＰＤＵを１つに多重しトランスポートブロックを作成する要素である。
【００１８】
さらに、無線インタフェース部１４は、図２に示すＬＴＥプロトコルの場合のレイヤ１に配置されたエンティティに相当するものであり、データ多重部１３で生成されたトランスポートブロックを対向する基地局に無線で送信する要素である。
【００１９】
図４は、従来の、端末の送信側の構成を示したブロック図である。ここでは、図示および説明の煩雑さを避けるため、ＬＣＨ＃１とＬＣＨ＃２との２つの論理チャネルのみが存在するものとしている。
【００２０】
データ処理部１２に配置されたデータＰＤＵ生成部１２２は、データ受信部１１で受信したＬＣＨユーザデータを受け取り、必要なサイズの分のユーザデータを切り出してデータＰＤＵの生成を行なう要素である。
【００２１】
また、制御ＰＤＵ生成部１２１は、対向する基地局側のデータ処理部（図示せず）との間で制御ＰＤＵの送受信を行ない、ＰＤＵのシーケンス番号や送受信データ管理などを行なうための要素である。
【００２２】
また、送信量検出部１２４は、データＰＤＵ生成部１２２で生成されたデータＰＤＵと制御ＰＤＵ生成部１２１で生成された制御ＰＤＵとを合わせた、このデータ処理部１２で生成されたＰＤＵのデータ量の総量を検出して、データ多重部１３のデータ制御部１３３に通知する。
【００２３】
さらに、ＰＤＵ送信制御部１２３は、データＰＤＵ生成部１２２で生成されたデータＰＤＵ、および制御ＰＤＵ生成部１２１で生成された制御ＰＤＵを受け取り、データ多重部１３のデータ制御部１３３の指示に基づいて、それらのＰＤＵをデータ多重部１３のトランスポートブロック生成部１３２に送信する。
【００２４】
データ多重部１３のデータ制御部１３３では、各ＬＣＨに置かれたデータ処理部１２の送信量検出部１２４からそれぞれ通知を受けた、各ＬＣＨでの送信可能なデータ量をもとに、基地局側に送信するトランスポートブロック内への各ＬＣＨのデータの割当てを行ない、各ＬＣＨのデータ処理部１２のＰＤＵ送信制御部１２３に対し、送信割当量を通知する。各ＬＣＨのＰＤＵ送信制御部１２３は、自分のＬＣＨに割り当てられた送信割当量に相当するデータ量のＰＤＵを、データ多重部１３のトランスポートブロック生成部１３２に送る。
【００２５】
また、ヘッダ生成部１３１は、データ制御部１３３の指示に応じて、トランスポートブロック生成部１３２で生成されるトランスポートブロックのヘッダを生成する。
【００２６】
トランスポートブロック生成部１３２は、各ＬＣＨのＰＤＵ送信部１２３から送られてきたＰＤＵとヘッダ生成部１３１で生成されたヘッダを多重しトランスポートブロックを生成する。
【００２７】
このトランスポートブロック生成部１３２で生成されたトランスポートブロックは、データ多重部１３から、図３に示す無線インタフェース部１４に渡され、無線インタフェース部１４から基地局側に無線で送信される。
【００２８】
図５は、従来のデータ多重アルゴリズムを示す図である。
【００２９】
図４に示すトランスポートブロック生成部では、論理チャネルごとの優先度に従ってトランスポートブロックが生成される。ここでは、ＬＣＨ＃１の方が優先度が高く、ＬＣＨ＃２の方の優先度が低いものとして説明する。
【００３０】
図５（Ａ）に示すように、全ＬＣＨで生成された制御ＰＤＵおよびデータＰＤＵの総データ量が送信可能なデータ量よりも少ない場合には、１つのトランスポートブロック内に、ヘッダに続き優先度の高いＬＣＨから優先度の低いＬＣＨへと順に制御ＰＤＵおよびデータＰＤＵが多重され、トランスポートブロックが生成される。
【００３１】
一方、図５（Ｂ）に示すように、各ＬＣＨで生成された制御ＰＤＵおよびデータＰＤＵの総データ量が送信可能データ量を上回るときは、優先度の高いＬＣＨ＃１の制御ＰＤＵおよびデータＰＤＵが優先的に多重され、優先度の低いＬＣＨ＃２のＰＤＵは残されてしまう結果となる。データＰＤＵに関しては与えられている優先度に基づいて多少遅れても止むを得ないものの、制御ＰＤＵについては送信が遅れることによって送信側と受信側とで同期がとれないなど、重大な問題を生じるおそれがある。
【非特許文献１】ｈｔｔｐ：／／ｗｗｗ．３ｇｐｐ．ｏｒｇ／
【特許文献１】特開２００５−３４１４４１号公報
【発明の開示】
【発明が解決しようとする課題】
【００３２】
本発明は、上記事情に鑑み、重要なデータの送信遅れを回避することのできる送信装置を提供することを目的とする。
【課題を解決するための手段】
【００３３】
上記目的を達成する本発明の送信装置は、複数チャネルそれぞれに置かれた、送信用のデータを処理する複数のデータ処理部と、それら複数のデータ処理部からデータを受け取り、一回の送信が可能なデータ量のデータからなるトランスポートブロックを生成するデータ多重部と、データ多重部で生成されたトランスポートブロックからなるデータパケットを送信する通信部とを備えた通信装置において、上記複数のデータ処理部それぞれが、当該データ処理部で処理された送信用のデータの各種類ごとのデータ量を検出して、データ多重部に通知する送信量検出部を備え、上記データ多重部が、複数のデータ処理部から送られてくるデータを、それら複数のデータ処理部からそれぞれ通知を受けた各種類ごとのデータ量と、チャネルごとの優先度およびデータの種類ごとの優先度とに基づいて、トランスポートブロックへのデータ割当てを行なうものであることを特徴とする。
【００３４】
本発明の送信装置では、各データ処理部から、各種類ごとのデータ量がデータ多重部に通知され、データ多重部では、チャネルごとの優先度のみでなく、データの種類ごとの優先度に基づいてトランスポートブロックへのデータ割当てが行なわれる。したがって、重要な種類のデータに高い優先度を与えておくことにより、重要なデータの送信遅れが回避される。
【００３５】
ここで、本発明の送信装置において、上記複数のデータ処理部それぞれが、ユーザデータを生成するユーザデータ生成部と制御データを生成する制御データ生成部とを有し、上記送信量検出部は、当該データ処理部で生成された制御データおよびユーザデータそれぞれのデータ量を検出してデータ多重部に通知するものであり、上記データ多重部は、複数のデータ処理部から送られてくるデータを、制御データの方がユーザデータよりも優先的に送信されるようにトランスポートブロックへのデータ割当てを行なうものであることが好ましい。
【００３６】
送信遅れにより重大な結果を生じるおそれのあるデータは制御データに集中しており、したがって、制御データをユーザデータよりも優先させることにより送信遅れによる重大な結果の発生を回避することができる。
【００３７】
また、本発明の送信装置において、上記複数のデータ処理部が、制御データを生成する制御データ生成部とユーザデータを生成するユーザデータ生成部とを有し、送信量検出部は、当該データ処理部で生成された制御データを種類ごとに分類したときの各種類ごとの制御データの各データ量と当該データ処理部で生成されたユーザデータのデータ量を検出してデータ多重部に通知するものであり、
上記データ多重部は、複数のデータ処理部から送られてくるデータを、制御データのうちの特定種類の制御データの方が、特定種類以外の種類の制御データおよびユーザデータよりも優先的に送信されるようにトランスポートブロックへのデータ割当てを行なうものであることも好ましい形態である。
【００３８】
制御データの中には、送信遅れにより重大な結果を生じるおそれのある制御データも存在するが、送信が多少遅れても構わない制御データも存在する。そこで、上記のように制御データを種類別に分けて種類別のデータ量を通知し、送信遅れを回避すべき制御データのみ優先度を高めておいてもよい。
【００３９】
この構成を採用すると、チャネルの優先度を尊重しつつ、重要なデータの送信遅れを回避することができる。
【００４０】
また、本発明のプログラムは、複数チャネル毎に、送信用のデータを処理する複数のデータ処理ステップと、複数のデータ処理部からデータを受け取り、一回の送信が可能なデータ量のデータからなるトランスポートブロックを生成するデータ多重ステップと、データ多重ステップで生成されたトランスポートブロックからなるデータパケットを送信する通信ステップを、コンピュータに実行させることにより、通信装置として機能させるプログラムにおいて、上記複数のデータ処理ステップそれぞれが、更に、当該データ処理部で処理された送信用のデータの各種類ごとのデータ量とその制御用のデータ量を検出して、データ多重ステップに通知するデータ量通知ステップを備え、上記データ多重ステップが、更に、上記複数のデータ処理ステップから送られてくるデータを、それら複数のデータ処理ステップからそれぞれ通知を受けた各種類ごとのデータ量と制御用のデータ量の優先度と、チャネルごとの優先度とに基づいて、トランスポートブロックへのデータ割当てを優先的に行なうステップを、上記コンピュータに実行させることを特徴とする。
【００４１】
さらに、本発明の通信方法は、複数チャネル毎に、送信用のデータを処理する複数のデータ処理手順と、上記複数のデータ処理手順からデータを受け取り、一回の送信が可能なデータ量のデータからなるトランスポートブロックを生成するデータ多重手順と、上記データ多重手順で生成されたトランスポートブロックからなるデータパケットを送信する通信手順を、コンピュータを用いて実行させる通信方法において、上記複数のデータ処理手順それぞれが、更に、当該データ処理手順で処理された送信用のデータの各種類ごとのデータ量とその制御用のデータ量を検出して、前記データ多重部に通知するデータ量通知手順を備え、上記データ多重手順が、上記複数のデータ処理手順から送られてくるデータを、それら複数のデータ処理手順からそれぞれ通知を受けた各種類ごとのデータ量と制御用のデータ量の優先度と、チャネルごとの優先度とに基づいて、トランスポートブロックへのデータ割当てを優先的に行なう手順を、上記コンピュータを用いて実行させることを特徴とする。
【発明の効果】
【００４２】
以上説明したように、本発明によれば重要なデータの送信遅れを回避することができる。
【発明を実施するための最良の形態】
【００４３】
以下、本発明の実施形態について説明する。
【００４４】
図１〜図３およびそれらの図を参照した説明は、以下に説明する実施形態でもそのまま採用することができ、ここではそれらの図面および説明の重複掲載および重複説明は省略する。
【００４５】
図６は、本発明の一実施形態としての送信装置の構成を示したブロック図である。この図６は、従来例における図４に代わるブロック図であり、図４に示す構成要素に対応する構成要素には、作用上の相違があっても図４において付した符号と同一の符号を付して示し、相違点について説明する。また、この図６においても、図示および説明の分かり易さのために、論理チャネルはＬＣＨ＃１とＬＣＨ＃２の２チャネルのみとする。
【００４６】
この図６に示すデータ制御部１２には、図４に示すＰＤＵ送信制御部１２３に代わり、制御ＰＤＵ送信制御部１２３＿１とデータＰＤＵ送信制御部１２３＿２が備えられており、また、図４に示す送信量検出部１２４に代わり、制御ＰＤＵ送信量検出部１２４＿１とデータＰＤＵ送信量検出部１２４＿２が備えられている。
【００４７】
制御ＰＤＵ送信量検出部１２４＿１は、制御ＰＤＵ生成部１２１で生成された制御ＰＤＵのデータ量を検出して、データ多重部１３のデータ制御部１３３に通知し、また、データＰＤＵ送信量検出部１２４＿２は、データＰＤＵ生成部１２２で生成されたデータＰＤＵのデータ量を検出して、データ多重部１３のデータ制御部１３３に通知する。
【００４８】
したがって、データ制御部１３３には、各ＬＣＨから制御ＰＤＵとデータＰＤＵとに分かれたそれぞれのデータ量の情報が集ることになる。データ制御部１３３には、データＰＤＵよりも制御ＰＤＵの方が先に送信され、制御ＰＤＵどうしであれば優先度の高いＬＣＨの制御ＰＤＵの方が先に送信され、データＰＤＵどうしであれば優先度の高いＬＣＨのデータＰＤＵの方が先に送信されるように、優先度が設定されている。データ制御部１３３は、その優先度に従い、各ＬＣＨの制御ＰＤＵ送信制御部１２３＿１およびデータＰＤＵ送信制御部１２３＿２に対し、制御ＰＤＵおよびデータＰＤＵをデータ多重部１３のトランスポートブロック生成部１３２に送るよう指示する。トランスポートブロック生成部１３２では、ヘッダ生成部１３１により生成されたヘッダと各ＬＣＨの制御ＰＤＵ送信制御部１２３＿１およびデータＰＤＵ送信制御部１２３＿２から送られてきた制御ＰＤＵおよびデータＰＤＵを多重してトランスポートブロックを生成する。このトランスポートブロック生成部１３２で生成されたトランスポートブロックは、図３に示す無線インタフェース部１４を介して基地局側に無線で送信される。
【００４９】
図７は、図６に示す実施形態におけるデータ多重アルゴリズムの説明図である。
【００５０】
ここでは、ヘッダに続き、チャネルの優先度の高いＬＣＨ＃１の制御ＰＤＵが配置され、次にチャネルの優先度の低いＬＣＨ＃２の制御ＰＤＵが配置され、さらに続いてチャネルの優先度の高いＬＣＨ＃１のデータＰＤＵが送信可能データ量に入る分だけ配置されたトランスポートブロックが生成されている。
【００５１】
この実施形態によれば、ＬＣＨの優先度の高低にかかわらずデータＰＤＵより制御ＰＤＵの方が優先されるため制御ＰＤＵの送信遅れによる重大な問題の発生が回避される。
【００５２】
次にもう１つの実施形態を説明する。ここでは再度、図６を参照し、上記の実施形態との相違点について説明する。
【００５３】
各ＬＣＨの制御ＰＤＵ送信量検出部１２４＿１は、制御ＰＤＵ生成部１２１で生成された制御ＰＤＵをその制御データの種類ごとに細分化して各種類ごとのデータ量を検出し、その検出した各種類ごとのデータ量をデータ制御部１３３に通知する。一方、データＰＤＵ送信量検出部１２４＿２では、上述の実施形態と同様、データＰＤＵ生成部１２２で生成されたデータＰＤＵについて一括してそのデータ量が検出されてデータ制御部１３３に通知される。
【００５４】
図８は、データ制御部で採用される優先度を示した図である。
【００５５】
図８（Ａ）に示すように、ＬＣＨについては、各ＬＣＨごとに優先度が変更自在に設定されており、また、制御データについては、優先させるべき種類が記録されている。
【００５６】
この図８では、ＬＣＨについてはＬＣＨ＃１の優先度が１番高く、ＬＣＨ＃２の優先度が２番目である旨、設定されており、制御データについては、ａａａ，ｂｂｂ，…の種類の制御データを優先すべきことが設定されている。
【００５７】
図６のデータ制御部１３３は、図８に示す優先度に従い、優先されるべき種類の制御データが優先的に送信されるように、各ＬＣＨの制御データＰＤＵ送信部１２３＿１およびデータＰＤＵ送信制御部１２３＿２に指令を出す。制御データＰＤＵ送信部１２３＿１は指定された種類の制御データのみをトランスポートブロック生成部１３２に送ることができるよう、制御データをその種類ごとに分ける構成となっている。
【００５８】
この実施形態の場合、前述の実施形態と比べＬＣＨの優先度を尊重しつつ、送信遅れによって重大な影響を及ぼすおそれのある制御データについては優先的に送信することができる。
【００５９】
尚、上記の各実施形態では、図１に示す無線通信システムのうちの端末１０から基地局２０への送信を例に挙げて説明したが、基地局２０から端末１０にデータを送信する場合も同様である。
【図面の簡単な説明】
【００６０】
【図１】ＬＴＥプロトコルを採用したときの無線通信システムの概要図である。
【図２】ＬＴＥプロトコルのプロトコル構成図である。
【図３】基地局との間で無線通信を行なう端末の構成を示したブロック図である。
【図４】従来の、端末の送信側の構成を示したブロック図である。
【図５】従来のデータ多重方法を示す図である。
【図６】本発明の一実施形態としての送信装置の構成を示したブロック図である。
【図７】図６に示す実施形態におけるデータ多重アルゴリズムの説明図である。
【図８】データ制御部で採用される優先度を示した図である。
【符号の説明】
【００６１】
１，２    レイヤ
１０    端末（ＵＥ）
１１，１２    データ受信部
１３    データ多重部
１４    無線インターフェイス部
２０    基地局（ｅＮＢ）
３０    アクセスゲートウェイ（ａＧＷ）
４０    ＩＰネットワーク
１２１    制御ＰＤＵ生成部
１２２    データＰＤＵ生成部
１２３    ＰＤＵ送信制御部
１２３＿１    制御ＰＤＵ送信制御部
１２３＿２    データＰＤＵ送信制御部
１２４    送信量検出部
１２４＿１    制御ＰＤＵ送信量検出部
１２４＿２    データＰＤＵ送信量検出部
１３１    ヘッダ生成部
１３２    トランスポートブロック生成部
１３３    データ制御部
【図１】
2009164684.tif 000003
【図２】
2009164684.tif 000004
【図３】
2009164684.tif 000005
【図４】
2009164684.tif 000006
【図５】
2009164684.tif 000007
【図６】
2009164684.tif 000008
【図７】
2009164684.tif 000009
【図８】
2009164684.tif 000010